(57)【要約】      （修正有）【課題】復帰時間をより短縮できる低電力状態の受付期間を、ユーザが適切に設定できる画像処理システムを提供する。【解決手段】画像処理システムは、通常の電力状態よりも消費電力の低い第１の低電力状態と、第１の低電力状態よりも短い復帰時間で通常の電力状態に復帰可能な第２の低電力状態と、を省電力設定として設定可能な画像処理システムであって、通常の電力状態から第２の低電力状態への移行を受け付ける１以上の受付期間を含む設定情報の入力を受け付ける入力部と、１以上の受付期間の和が、画像処理システムに使用されているハードウェアのハードウェア情報に応じて設定された第２の低電力状態の許容期間以内の場合、設定情報に基づく省電力設定を、画像処理システムに設定する設定部と、を備える。【選択図】図３
2017196784.tif 000002
【特許請求の範囲】
【請求項１】
通常の電力状態よりも消費電力の低い第１の低電力状態と、前記第１の低電力状態よりも短い復帰時間で前記通常の電力状態に復帰可能な第２の低電力状態と、を省電力設定として設定可能な画像処理システムであって、
前記通常の電力状態から前記第２の低電力状態への移行を受け付ける１以上の受付期間を含む設定情報の入力を受け付ける入力部と、
前記１以上の受付期間の和が、前記画像処理システムに使用されているハードウェアのハードウェア情報に応じて設定された前記第２の低電力状態の許容期間以内の場合、前記設定情報に基づく省電力設定を、前記画像処理システムに設定する設定部と、
を備える画像処理システム。
【請求項２】
前記復帰時間の影響を受ける機能が前記画像処理システムに搭載されている場合、前記受付期間を指定する表示情報を、表示部に表示する表示制御部、
を更に備える請求項１に記載の画像処理システム。
【請求項３】
前記復帰時間の影響を受ける機能は、ユーザの識別情報を含むカードと連携する機能である、
請求項２に記載の画像処理システム。
【請求項４】
前記ハードウェア情報は、前記ハードウェアの正常な動作を保証する動作保証期間を含む、
請求項１乃至３のいずれか１項に記載の画像処理システム。
【請求項５】
前記表示制御部は、前記１以上の受付期間の和が、前記画像処理システムのハードウェア情報に応じて設定された前記第２の低電力状態の許容期間以内でない場合、前記設定情報に基づく省電力設定ができないことを示すエラー情報を前記表示部に表示し、
前記設定部は、前記設定情報に基づく省電力設定を前記画像処理システムに設定しない、
請求項２乃至４のいずれか１項に記載の画像処理システム。
【請求項６】
前記表示制御部は、前記１以上の受付期間の和が、前記画像処理システムのハードウェア情報に応じて設定された前記第２の低電力状態の許容期間以内でない場合、前記設定情報に基づく省電力設定ができないことを示すエラー情報を前記表示部に表示し、
前記設定部は、前記設定情報に基づく省電力設定を前記画像処理システムに設定する、
請求項２乃至４のいずれか１項に記載の画像処理システム。
【請求項７】
前記表示情報は、前記画像処理システムに使用されているハードウェアの動作保証期間に応じて前記許容期間が設定されていること、及び、前記許容期間の範囲内で前記１以上の受付期間を設定しなければならないことを示す情報を含む、
請求項２乃至６のいずれか１項に記載の画像処理システム。
【請求項８】
前記表示制御部は、前記許容期間が閾値以下の場合、前記受付期間を受け付ける表示情報を、前記画像処理システムの保守者が前記画像処理システムにログインしている場合に前記表示部に表示し、前記画像処理システムの一般のユーザが前記画像処理システムにログインしている場合は前記表示部に表示しない、
請求項２乃至７のいずれか１項に記載の画像処理システム。
【請求項９】
通常の電力状態よりも消費電力の低い第１の低電力状態と、前記第１の低電力状態よりも短い復帰時間で前記通常の電力状態に復帰可能な第２の低電力状態と、を省電力設定として設定可能な画像処理システムの電力制御方法であって、
前記通常の電力状態から前記第２の低電力状態への移行を受け付ける１以上の受付期間を含む設定情報の入力を受け付けるステップと、
前記１以上の受付期間の和が、前記画像処理システムに使用されているハードウェアのハードウェア情報に応じて設定された前記第２の低電力状態の許容期間以内の場合、前記設定情報に基づく省電力設定を、前記画像処理システムに設定するステップと、
を含む電力制御方法。
【請求項１０】
通常の電力状態よりも消費電力の低い第１の低電力状態と、前記第１の低電力状態よりも短い復帰時間で前記通常の電力状態に復帰可能な第２の低電力状態と、を省電力設定として設定可能な画像処理システムを、
前記通常の電力状態から前記第２の低電力状態への移行を受け付ける１以上の受付期間を含む設定情報の入力を受け付ける入力部と、
前記１以上の受付期間の和が、前記画像処理システムに使用されているハードウェアのハードウェア情報に応じて設定された前記第２の低電力状態の許容期間以内の場合、前記設定情報に基づく省電力設定を、前記画像処理システムに設定する設定部、
として動作させるためのプログラム。
【発明の詳細な説明】
【技術分野】
【０００１】
本発明は画像処理システム、電力制御方法及びプログラムに関する。
【背景技術】
【０００２】
ＩＣカードリーダを使用してＩＣカードを読み込むことにより、ＩＣカードと連携する機能を有する画像処理システムが従来から知られている。また画像処理システムが省エネ状態であった場合に、ＩＣカードを読み込ませてから画像処理システムを利用できるまでの時間を短縮するために、画像処理システムの省エネ状態を、省エネ状態から利用可能になるまでの復帰時間をより短縮できる低電力状態（低電力だがスリープまではしていない状態）に留めておく技術が従来から知られている。
【０００３】
特許文献１には、設定された電力消費量の上限（例えば月単位）と、現在の電力消費量とに基づいて、省エネモードの変更、及び、代替操作の提案等を行うことにより、電力消費量を設定された電力消費量の上限以下に抑える発明が開示されている。
【発明の概要】
【発明が解決しようとする課題】
【０００４】
しかしながら、スリープ状態等の通常の低電力状態よりも復帰時間が短い低電力状態を維持すると、画像処理システムのＨＤＤ等のハードウェアが常時稼動状態となるため、画像処理システムの製品寿命が短くなってしまう。そのため復帰時間をより短縮できる低電力状態の維持期間には制限がある。復帰時間をより短縮できる低電力状態の維持期間は、画像処理システムに使用されているハードウェアの動作保証期間を考慮して設定する必要があるため、画像処理システムのサービスマンが設定しなければならなかった。
【０００５】
本発明は、上記に鑑みてなされたものであって、復帰時間をより短縮できる低電力状態の維持期間を、ユーザが適切に設定できるようにする画像処理システム、電力制御方法及びプログラムを提供することを目的とする。
【課題を解決するための手段】
【０００６】
上述した課題を解決し、目的を達成するために、本発明は、通常の電力状態よりも消費電力の低い第１の低電力状態と、前記第１の低電力状態よりも短い復帰時間で前記通常の電力状態に復帰可能な第２の低電力状態と、を省電力設定として設定可能な画像処理システムであって、前記通常の電力状態から前記第２の低電力状態への移行を受け付ける１以上の受付期間を含む設定情報の入力を受け付ける入力部と、前記１以上の受付期間の和が、前記画像処理システムに使用されているハードウェアのハードウェア情報に応じて設定された前記第２の低電力状態の許容期間以内の場合、前記設定情報に基づく省電力設定を、前記画像処理システムに設定する設定部と、を備える。
【発明の効果】
【０００７】
本発明によれば、復帰時間をより短縮できる低電力状態の維持期間を、ユーザが適切に設定できるようにすることができるという効果を奏する。
【図面の簡単な説明】
【０００８】
【図１】図１は実施形態の画像処理システムのシステム構成の例を示す図である。
【図２】図２は実施形態の画像処理システムのハードウェア構成の例を示す図である。
【図３】図３は実施形態の画像処理システムの機能構成の例を示す図である。
【図４】図４は実施形態の電力制御方法の例を示すシーケンス図である。
【図５】図５は実施形態の省エネ抑止機能の公開制御方法の例を示すフローチャートである。
【図６】図６は実施形態の省エネ抑止機能のユーザ設定制御方法の例を示すフローチャートである。
【図７】図７は実施形態の変形例の省エネ抑止機能の公開制御方法の例を示すフローチャートである。
【図８】図８は実施形態の変形例の省エネ抑止機能のユーザ設定制御方法の例を示すフローチャートである。
【図９】図９は実施形態の変形例の省エネ抑止機能の初期設定方法の例を示すフローチャートである。
【発明を実施するための形態】
【０００９】
以下に添付図面を参照して、画像処理システム、電力制御方法及びプログラムの実施形態を詳細に説明する。
【００１０】
［画像処理システムのシステム構成］
はじめに実施形態の画像処理システムのシステム構成の例について説明する。
【００１１】
図１は実施形態の画像処理システム１のシステム構成の例を示す図である。実施形態の画像処理システム１は、画像処理装置１００及び操作デバイス２００を備える。実施形態の画像処理システム１は、例えばＭＦＰ（Ｍｕｌｔｉｆｕｎｃｔｉｏｎ  Ｐｅｒｉｐｈｅｒａｌ）等である。画像処理装置１００は、各種の機能（コピー機能、スキャナ機能、ファックス機能及びプリンタ機能等）を実現するハードウェアである。操作デバイス２００は、ユーザの操作入力を受け付けるハードウェアである。
【００１２】
画像処理装置１００及び操作デバイス２００は、専用の通信路３００を介して接続されている。操作デバイス２００により受け付けられた情報は、通信路３００を介して画像処理装置１００に送信される。これにより画像処理装置１００は、操作デバイス２００により受け付けられた情報に応じた動作を行う。なお通信路３００は、有線であっても無線であってもよい。通信路３００は、例えばＵＳＢ（Ｕｎｉｖｅｒｓａｌ    Ｓｅｒｉａｌ    Ｂｕｓ）規格により実現される。
【００１３】
［画像処理システムのハードウェア構成］
次に実施形態の画像処理システム１のハードウェア構成の例について説明する。
【００１４】
図２は実施形態の画像処理システム１のハードウェア構成の例を示す図である。実施形態の画像処理システム１は、画像処理装置１００及び操作デバイス２００を備える。
【００１５】
＜画像処理装置のハードウェア構成＞
画像処理装置１００は、ＣＰＵ１１１、ＲＯＭ１１２、ＲＡＭ１１３、ＨＤＤ１１４、通信Ｉ／Ｆ１１５、接続Ｉ／Ｆ１１６及びエンジン１１７を備える。ＣＰＵ１１１、ＲＯＭ１１２、ＲＡＭ１１３、ＨＤＤ１１４、通信Ｉ／Ｆ１１５、接続Ｉ／Ｆ１１６及びエンジン１１７は、システムバス１１８を介して接続されている。
【００１６】
ＣＰＵ１１１は、画像処理装置１００の動作を制御する。具体的には、ＣＰＵ１１１は、ＲＯＭ１１２及びＨＤＤ１１４等に記憶されたプログラムを、ＲＡＭ１１３で実行することにより、コピー機能、スキャナ機能、ファックス機能及びプリンタ機能等を実現する。ＲＯＭ１１２は、プログラム等の情報を記憶する。ＲＡＭ１１３は、ＣＰＵ１１１により実行されるプログラムの作業領域として使用される。ＨＤＤ１１４は、プログラム等の情報を記憶する。
【００１７】
通信Ｉ／Ｆ１１５は、ネットワーク４００と接続するためのインタフェースである。例えば通信Ｉ／Ｆ１１５が、ネットワーク４００に接続されたクライアントＰＣ等の外部装置と通信することにより、画像処理装置１００は、外部装置から受信した情報に応じて動作することもできる。
【００１８】
接続Ｉ／Ｆ１１６は、通信路３００を介して操作デバイス２００と通信するためのインタフェースである。
【００１９】
エンジン１１７は、汎用的な情報処理及び通信以外の処理を行うハードウェアである。エンジン１１７は、例えばコピー機能、スキャナ機能、ファックス機能及びプリンタ機能等を実現するためのハードウェアである。エンジン１１７は、例えば原稿をスキャンすることにより画像を読み取るスキャナ、用紙等のシート材への印刷を行うプロッタ、及び、ファックス通信を行う通信装置等を備えている。エンジン１１７は、さらに、印刷済みシート材を仕分けるフィニッシャ、及び、原稿を自動給送するＡＤＦ（自動原稿給送装置）等のオプションを備えてもよい。
【００２０】
＜操作デバイスのハードウェア構成＞
操作デバイス２００は、ＣＰＵ２２１、ＲＯＭ２２２、ＲＡＭ２２３、フラッシュメモリ２２４、通信Ｉ／Ｆ２２５、接続Ｉ／Ｆ２２６、操作パネル２２７、及び、外部接続Ｉ／Ｆ２２８を備える。ＣＰＵ２２１、ＲＯＭ２２２、ＲＡＭ２２３、フラッシュメモリ２２４、通信Ｉ／Ｆ２２５、接続Ｉ／Ｆ２２６、操作パネル２２７、及び、外部接続Ｉ／Ｆ２２８は、システムバス２２９を介して接続されている。
【００２１】
またＩＣカードリーダ２１１が、操作デバイス２００の外部接続Ｉ／Ｆ２２８に接続されている。ＩＣカードリーダ２１１は、例えばＩＣカードに含まれるユーザＩＤ等の識別情報を読み取る。
【００２２】
ＣＰＵ２２１は、操作デバイス２００の動作を制御する。具体的には、ＣＰＵ２２１は、ＲＯＭ２２２及びフラッシュメモリ２２４等に記憶されたプログラムを、ＲＡＭ２２３で実行することにより、ユーザから受け付けた入力に応じた情報の表示等を行う。ＲＯＭ２２２は、プログラム等の情報を記憶する。ＲＡＭ２２３は、ＣＰＵ２２１により実行されるプログラムの作業領域として使用される。フラッシュメモリ２２４は、プログラム等の情報を記憶する。
【００２３】
通信Ｉ／Ｆ２２６は、ネットワーク４００と接続するためのインタフェースである。例えば通信Ｉ／Ｆ２２６が、ネットワーク４００に接続されたクライアントＰＣ等の外部装置と通信することにより、操作デバイス２００は、外部装置から受信した情報に応じて動作することもできる。
【００２４】
接続Ｉ／Ｆ２２６は、通信路３００を介して画像処理装置１００と通信するためのインタフェースである。
【００２５】
操作パネル２２７は、ユーザの操作入力を受け付けるとともに、情報を表示する。ユーザの操作入力により受け付ける情報は、例えばユーザによりタッチされた操作パネル２２７の位置を示す座標値を示す信号等を含む。また操作パネル２２７は、例えばユーザの操作入力に応じた情報、画像処理システム１の動作状態を示す情報、及び、画像処理システム１の設定を示す情報等を表示する。操作パネル２２７を実現するハードウェアは任意でよい。操作パネル２２７は、例えばタッチパネル機能を有する液晶表示装置（ＬＣＤ）、及び、タッチパネル機能を有する有機ＥＬ表示装置等である。なお画像処理システム１は、操作パネル２２７に加えて（又は操作パネル２２７に代えて）、ハードウェアキー及びランプ等を備えていてもよい。
【００２６】
外部接続Ｉ／Ｆ２２８は、ＩＣカードリーダ２１１と接続するためのインタフェースである。
【００２７】
［画像処理システムの機能構成］
次に実施形態の画像処理システム１の機能構成の例について説明する。
【００２８】
図３は実施形態の画像処理システム１の機能構成の例を示す図である。実施形態の画像処理システム１は、画像処理部１０及び操作部２０を備える。画像処理部１０は、例えば画像処理装置１００により実現される。操作部２０は、例えば操作デバイス２００により実現される。
【００２９】
＜画像処理部の機能構成＞
実施形態の画像処理部１０は、記憶制御部１１、記憶部１２、通信制御部１３、コピー制御部１４、スキャナ制御部１５、ファックス制御部１６、プリンタ制御部１７及び状態制御部１８を備える。
【００３０】
記憶制御部１１は、記憶部１２に記憶された情報を記憶制御（読出し、追加、削除及び変更）する。記憶部１２は情報を記憶する。記憶部１２は、例えばＨＤＤ１１４により実現される。
【００３１】
通信制御部１３は、他の機能ブロックからの通信要求に応じて、操作部２０に情報を送信する。また通信制御部１３は、操作部２０から受信した情報を、通信対象の機能ブロックに入力する。
【００３２】
コピー制御部１４は、コピー機能を実現するための処理を行う。スキャナ制御部１５は、スキャナ機能を実現するための処理を行う。ファックス制御部１６は、ファックス機能を実現するための処理を行う。プリンタ制御部１７は、プリンタ機能を実現するための処理を行う。コピー制御部１４、スキャナ制御部１５、ファックス制御部１６及びプリンタ制御部１７は、例えばエンジン１１７により実現される。
【００３３】
状態制御部１８は、画像処理部１０の電力状態を制御する。実施形態の画像処理部１０の電力状態は、通常の電力状態、第１の低電力状態（スリープ状態）、及び、第２の低電力状態を有する。
【００３４】
通常の電力状態は、画像処理部１０がユーザにより使用されているときの電力状態である。通常の電力状態では、例えば画像処理部１０で使用されている全てのハードウェア（ＣＰＵ１１１、ＲＯＭ１１２、ＲＡＭ１１３、ＨＤＤ１１４、通信Ｉ／Ｆ１１５、接続Ｉ／Ｆ１１６及びエンジン１１７）が通電している状態である。
【００３５】
第１の低電力状態、及び、第２の低電力状態は、画像処理部１０がユーザにより使用されていないときの電力状態である。
【００３６】
第１の低電力状態は、通常の電力状態よりも消費電力の低い電力状態である。第１の低電力状態では、例えばＣＰＵ１１１及びＲＡＭ１１３が通電し、ＲＯＭ１１２、ＨＤＤ１１４、通信Ｉ／Ｆ１１５、接続Ｉ／Ｆ１１６及びエンジン１１７が通電していない状態である。
【００３７】
第２の低電力状態は、画像処理部１０の省エネ抑止機能が有効の場合、通常の電力状態から移行する低電力状態である。第２の低電力状態は、第１の低電力状態よりも短い復帰時間で通常の電力状態に復帰可能な電力状態である。第２の低電力状態の消費電力は、通常の電力状態の消費電力より低く、第１の電力状態の消費電力よりも高い。第２の低電力状態は、例えばＣＰＵ１１１、ＲＯＭ１１２、ＲＡＭ１１３、ＨＤＤ１１４及び接続Ｉ／Ｆ１１６が通電し、通信Ｉ／Ｆ１１５及びエンジン１１７が通電していない状態である。
【００３８】
状態制御部１８は、画像処理部１０で使用されているハードウェア（例えばＨＤＤ１１４）から電力状態の移行確認要求を受け付けると、当該移行確認要求を、通信制御部１３を介して操作部２０に送信する。例えばＨＤＤ１１４は、最後に駆動してから所定の時間が経過した場合、スリープ状態（第１の低電力状態）に移行してよいか否かを確認する移行確認要求を状態制御部１８に送信する。
【００３９】
また状態制御部１８は、操作部２０から、通信制御部１３を介して、移行確認要求の応答情報を受信する。移行確認要求の応答情報は、電力状態の移行を許可する移行可情報、又は、電力状態の移行を許可しない移行不可情報を含む。状態制御部１８は、電力状態の移行確認要求を状態制御部１８に入力したハードウェアに、移行可情報又は移行不可情報を入力する。
【００４０】
例えばＨＤＤ１１４は、状態制御部１８から移行可情報を受け付けた場合、スリープ状態（第１の低電力状態）に移行し、状態制御部１８から移行不可情報を受け付けた場合、スリープ状態に移行しない。なおＨＤＤ１１４は、状態制御部１８から移行不可情報を受け付けてから所定の時間が経過する間に一度も駆動しなかった場合、移行確認要求を状態制御部１８に再び入力することにより、定期的に電力状態の移行確認を行う。
【００４１】
＜操作部の機能構成＞
実施形態の操作部２０は、読取部２１、表示部２２、表示制御部２３、入力部２４、設定部２５、記憶制御部２６、記憶部２７、通信制御部２８、認証部２９及び状態制御部３０を備える。
【００４２】
読取部２１は、画像処理システム１のユーザを識別する識別情報を読み取る。読取部２１は、例えばＩＣカードリーダ２１１により実現される。
【００４３】
表示制御部２３は、表示情報を表示部２２に表示する。表示部２２は、例えば操作パネル２２７により実現される。表示制御部２３は、例えば画像処理システム１の設定を示す設定情報を受け付ける表示情報を、表示部２２に表示する。
【００４４】
入力部２４は、ユーザの操作入力を受け付ける。入力部２４は、例えば操作パネル２２７により実現される。入力部２４は、例えば通常の電力状態から第２の低電力状態への移行を受け付ける１以上の受付期間を含む設定情報の入力を受け付ける。受付期間の指定方法は任意でよい。受付期間は、例えば曜日指定及び時間帯指定等である。曜日指定は、例えば月曜日から金曜日まで等である。時間帯指定は、９：００−１２：００及び１３：００−１８：００等である。
【００４５】
設定部２５は、設定情報を画像処理システム１に設定する。設定部２５は、例えば省電力抑止機能を有効にする設定情報を画像処理システム１に設定する。具体的には、設定部１５は、１以上の受付期間の和が、画像処理システム１に使用されているハードウェアのハードウェア情報に応じて設定された第２の低電力状態の許容期間以内の場合、設定情報に基づく省電力設定を、画像処理システム１に設定する。
【００４６】
ハードウェア情報は、例えばハードウェアの正常な動作を保証する動作保証期間（製品保証期間）を含む。ハードウェア情報は、例えば画像処理部１０の記憶部１２に記憶されている。ここで、ハードウェアがＨＤＤ１１４である場合を例にして、動作保証期間、及び、受付期間の許容期間について説明する。
【００４７】
例えばＨＤＤ１１４が標準ＨＤＤの場合、動作保証期間は例えば１００００時間である。ＨＤＤ１１４が標準ＨＤＤの場合、許容期間は、例えば１日に１０時間までである。例えば画像処理システム１のサービスマン（保守者）により、受付期間として、９：００−１２：００及び１３：００−１８：００が指定された場合、受付期間の和は８時間である。この場合、設定部２５は、１以上の受付期間の和が１０時間以内なので、省エネ抑止機能の受付期間の指定を含む設定情報に基づく省電力設定を、画像処理システム１に設定する。
【００４８】
例えばＨＤＤ１１４が高耐久ＨＤＤの場合、動作保証期間は例えば３００００時間である。ＨＤＤ１１４が高耐久ＨＤＤの場合、許容期間は、例えば１週間に１１５時間までである。例えば画像処理システム１のユーザにより、受付期間として、月曜日から日曜日までの８：００−２４：００が指定された場合、受付期間の和は１１２時間である。この場合、設定部２５は、１以上の受付期間の和が１１５時間以内なので、省エネ抑止機能の受付期間の指定を含む設定情報に基づく省電力設定を、画像処理システム１に設定する。
【００４９】
設定部２５によりハードウェア情報に応じた許容期間が定められていることにより、画像処理システム１に使用されているハードウェアに掛かる負荷を抑制し、省エネ抑止機能により製品寿命が短くなってしまうことを防止することができる。
【００５０】
なお設定部２５は、省エネ抑止機能を、画像処理システム１の一般のユーザに公開するか否かを、ハードウェア情報に基づいて判定する。ここで、一般のユーザとは、特別メニュー（サービスマンモード、サービスマンメニューなどと呼ばれる）を表示させ、その操作を実行できるサービスマンのような、特別な権限を持ったユーザではないユーザのことを言う。省エネ抑止機能がユーザに公開されない場合、省エネ抑止機能は、画像処理システム１のメンテナンスを担当するサービスマン（保守者）により設定される。設定部２５は、例えば許容期間が１日１０時間以内である等、許容期間が短い場合、省エネ抑止機能をユーザに公開しない。これにより、ユーザによる選択の余地が少ない等、ユーザにとって利便性が悪いと考えられる場合は、省エネ抑止機能の設定は、画像処理システム１のサービスマンが設定可能な特別メニューとすることができる。例えば、上述の例では、設定部２５は、ＨＤＤ１１４が、標準ＨＤＤの場合、省エネ抑止機能の設定を、サービスマンの特別メニューとし、ＨＤＤ１１４が、高耐久ＨＤＤの場合、省エネ抑止機能の設定を、ユーザに公開する。
【００５１】
記憶制御部２６は、記憶部２７に記憶された情報を記憶制御（読出し、追加、削除及び変更）する。記憶部２７は情報を記憶する。記憶部２７は、例えばフラッシュメモリ２２４により実現される。
【００５２】
通信制御部２８は、他の機能ブロックからの通信要求に応じて、画像処理部１０に情報を送信する。また通信制御部２８は、画像処理部１０から受信した情報を通信対象の機能ブロックに入力する。
【００５３】
認証部２９は、画像処理システム１を利用可能にするユーザの認証制御（ログイン制御）を行う。認証部２９は、例えば読取部２１により読み取られたユーザの識別情報と、ＨＤＤ１１４により実現されている記憶部１２に記憶されているユーザの識別情報と、が一致する場合、画像処理システム１を利用可能にする。
【００５４】
状態制御部３０は、設定部２５により設定された設定情報に基づいて、画像処理システム１の電力状態を制御する。具体的には、状態制御部３０は、画像処理部１０から、画像処理部１０に使用されているハードウェアの電力状態の移行確認要求を受信すると、設定情報に基づいて、移行可情報又は移行不可情報を含む応答情報を、画像処理部１０に送信する。また、状態制御部３０は、操作部２０に使用されているハードウェアから、電力状態の移行確認要求を受け付けると、設定情報に基づいて、移行可情報又は移行不可情報を含む応答情報を、当該ハードウェアに入力する。
【００５５】
状態制御部３０は、例えば通常の電力状態から第２の低電力状態への移行を受け付ける受付期間に、画像処理部１０に使用されているＨＤＤ１１４から、スリープ状態（第１の低電力状態）に移行してよいか否かを確認する移行確認要求を受信した場合、移行不可情報を含む応答情報を、ＨＤＤ１１４に送信する。これにより画像処理システム１の電力状態は、画像処理システム１がユーザにより使用されていない場合に、ＨＤＤ１１４が通電している第２の低電力状態になる。
【００５６】
［電力制御方法］
次に実施形態の電力制御方法について説明する。
【００５７】
図４は実施形態の電力制御方法の例を示すシーケンス図である。はじめに、操作部２０の設定部２５が、画像処理部１０のハードウェア情報の要求を通信制御部２８に入力する（ステップＳ１）。次に、通信制御部２８が、ハードウェア情報の要求を画像処理部１０に送信する（ステップＳ２）。
【００５８】
次に、画像処理部１０の通信制御部１３が、操作部２０からハードウェア情報の要求を受信すると、当該ハードウェア情報の要求を記憶制御部１１に入力する（ステップＳ３）。次に、記憶制御部１１が、記憶部１２から読み出したハードウェア情報を、通信制御部１３に入力する（ステップＳ４）。次に、通信制御部１３が、ハードウェア情報を操作部２０に送信する（ステップＳ５）。
【００５９】
次に、操作部２０の通信制御部２８が、ハードウェア情報を設定部２５に入力する（ステップＳ６）。次に、設定部２５が、画像処理システム１の電力制御方法を設定する設定制御処理を行う（ステップＳ７）。なおステップＳ７の設定制御処理の詳細は後述する。
【００６０】
次に、設定部２５は、ステップＳ７の設定制御処理により設定された設定情報を、状態制御部３０に入力する（ステップＳ８）。設定情報は、例えば省エネ抑止機能を有効にする期間（通常の電力状態から第２の低電力状態への移行を受け付ける受付期間）を示す情報を含む。
【００６１】
次に、状態制御部１８が、画像処理部１０に使用されているハードウェアの電力状態の移行確認要求を、通信制御部１３に入力する（ステップＳ９）。状態制御部１８は、例えばＨＤＤ１１４の電力状態の移行確認要求を、通信制御部１３に入力する。次に、通信制御部１３が、電力状態の移行確認要求を操作部２０に送信する（ステップＳ１０）。
【００６２】
次に、操作部２０の通信制御部２８が、電力状態の移行確認要求を状態制御部３０に入力する（ステップＳ１１）。次に、状態制御部３０が、ステップＳ８の処理により入力された設定情報に基づいて、移行可情報又は移行不可情報を含む応答情報を、通信制御部２８に入力する（ステップＳ１２）。次に、通信制御部２８が、応答情報を画像処理部１０に送信する（ステップＳ１３）。
【００６３】
次に、画像処理部１０の通信制御部１３が、応答情報を状態制御部１８に入力する（ステップＳ１４）。次に、状態制御部１８が、応答情報を、電力状態の移行確認要求を状態制御部１８に入力したハードウェアに入力することにより、画像処理部１０に使用されているハードウェアの電力状態を制御する（ステップＳ１５）。
【００６４】
次に上述のステップＳ７の設定制御処理の詳細（省エネ抑止機能を有効にする場合）について説明する。
【００６５】
図５は実施形態の省エネ抑止機能の公開制御方法の例を示すフローチャートである。はじめに、設定部２５が、省エネ抑止機能を、画像処理システム１の一般のユーザに公開するか否かを、ハードウェア情報に基づいて判定する（ステップＳ２１）。設定部２５は、例えばハードウェア情報に含まれる動作保証期間に応じて定められた第２の低電力状態の許容期間が、閾値以下の場合、省エネ抑止機能をユーザに公開しないことを決定する。
【００６６】
省エネ抑止機能を公開しない場合（ステップＳ２１、Ｎｏ）、設定部２５が、省エネ抑止機能をサービスマンメニューとする（ステップＳ２２）。具体的には、表示制御部２３が、サービスマンが画像処理システム１にログインしている場合に、サービスマンの操作入力に応じて、第２の低電力状態への移行を受け付ける１以上の受付期間を指定する表示情報を、表示部２２に表示する（ステップＳ２２）。
【００６７】
省エネ抑止機能を公開する場合（ステップＳ２１、Ｙｅｓ）、設定部２５が、省エネ抑止機能をユーザ設定メニューとする（ステップＳ２３）。具体的には、表示制御部２３が、一般のユーザが画像処理システム１にログインしている場合でも、ユーザの操作入力に応じて、第２の低電力状態への移行を受け付ける１以上の受付期間を指定する表示情報を、表示部２２に表示する。
【００６８】
図６は実施形態の省エネ抑止機能のユーザ設定制御方法の例を示すフローチャートである。はじめに、入力部２４が、第２の低電力状態への移行を受け付ける１以上の受付期間の入力を受け付ける（ステップＳ３１）。次に、設定部２５が、１以上の受付期間の和が、画像処理システム１に使用されているハードウェアのハードウェア情報に応じて設定された第２の低電力状態の許容期間以内であるか否かを判定する（ステップＳ３２）。
【００６９】
許容期間以内である場合（ステップＳ３２、Ｙｅｓ）、設定部２５は、ステップＳ２１の処理により入力された１以上の受付期間を含む設定情報を、画像処理システム１に反映する（ステップＳ３３）。
【００７０】
許容期間以内でない場合（ステップＳ３２、Ｎｏ）、表示制御部２３が、ステップＳ３１の処理により入力された１以上の受付期間を含む設定情報に基づく省電力設定ができないことを示すエラー情報を、表示部２２に表示し（ステップＳ３４）、処理はステップＳ３１に戻る。
【００７１】
以上説明したように、実施形態の画像処理システム１では、入力部２４が、通常の電力状態から第２の低電力状態への移行を受け付ける１以上の受付期間を含む設定情報の入力を受け付ける。そして設定部２５が、１以上の受付期間の和が、画像処理システム１に使用されているハードウェアのハードウェア情報に応じて設定された第２の低電力状態の許容期間以内の場合、設定情報に基づく省電力設定を、画像処理システム１に設定する。
【００７２】
これにより実施形態の画像処理システム１によれば、復帰時間をより短縮できる低電力状態の受付期間（維持期間）を、ユーザが適切に設定できるようにすることができる。
【００７３】
（実施形態の変形例）
次に実施形態の変形例について説明する。実施形態の変形例の説明では、実施形態と同様の説明については省略し、実施形態と異なる箇所について説明する。
【００７４】
図７は実施形態の変形例の省エネ抑止機能の公開制御方法の例を示すフローチャートである。図７の例では、ステップＳ４１の処理が追加されている点が、実施形態の省エネ抑止機能の公開制御方法（図５参照）と異なる。
【００７５】
はじめに、設定部２５が、省エネ抑止機能を有効にすることにより高速化する機能（復帰時間の影響を受ける機能）が、画像処理システム１にあるか否かを判定する（ステップＳ４１）。省エネ抑止機能を有効にすることにより高速化する機能は、例えば画像処理システム１がＩＣカードと連携することにより提供する機能である。画像処理システム１がＩＣカードと連携することにより提供する機能は、例えば認証部２９による認証機能である。
【００７６】
なお画像処理システム１がＩＣカードと連携することにより提供する機能は、画像処理システム１の認証機能に限られず任意でよい。例えば上述の図３に示される画像処理システム１では、操作部２０でＯＳ及びアプリを、画像処理部１０と独立に有することにより、画像処理装置１０の従来の機能の他に、操作部２０側で画像処理部１０の機能を活用した先進的な機能を提供することができる。
【００７７】
高速化する機能がある場合（ステップＳ４１、Ｙｅｓ）、処理はステップＳ４２に進む。高速化する機能がない場合（ステップＳ４１、Ｎｏ）、処理はステップＳ４３に進む。ステップＳ４２〜ステップＳ４４の処理は、ステップＳ２１〜ステップＳ２３の処理（図５参照）と同じなので説明を省略する。
【００７８】
図８は実施形態の変形例の省エネ抑止機能のユーザ設定制御方法の例を示すフローチャートである。図８の例は、設定部２５が、１以上の受付期間の和が、許容期間以内でない場合でも、省エネ抑止機能を有効にする場合を示す。
【００７９】
はじめに、表示制御部２３が、復帰時間をより短縮できる低電力状態の受付期間の入力を受け付ける前に、注意メッセージを含む表示情報を表示部２２に表示する（ステップＳ５１）。注意メッセージは、例えば画像処理システム１に使用されているハードウェアの動作保証期間に応じて許容期間が設定されていること、及び、許容期間の範囲内で受付期間を設定しなければならないことを示す。
【００８０】
次に、入力部２４が、第２の低電力状態への移行を受け付ける１以上の受付期間の入力を受け付ける（ステップＳ５２）。次に、設定部２５が、１以上の受付期間の和が、画像処理システム１に使用されているハードウェアのハードウェア情報に応じて設定された第２の低電力状態の許容期間以内であるか否かを判定する（ステップＳ５３）。
【００８１】
許容期間以内である場合（ステップＳ５３、Ｙｅｓ）、設定部２５は、ステップＳ５２の処理により入力された１以上の受付期間を含む設定情報を、画像処理システム１に反映する（ステップＳ５４）。
【００８２】
許容期間以内でない場合（ステップＳ５３、Ｎｏ）、表示制御部２３が、ステップＳ５２の処理により入力された１以上の受付期間を含む設定情報に基づく省電力設定ができないことを示すエラー情報を、表示部２２に表示する（ステップＳ５５）。
【００８３】
次に、表示制御部２３が、１以上の受付期間の設定をし直すか否かを確認する確認メッセージを表示部２２に表示することにより、１以上の受付期間を設定するか否かを確認する（ステップＳ５６）。
【００８４】
１以上の受付期間を設定し直す場合（ステップＳ５６、Ｙｅｓ）、処理はステップＳ５２に戻る。１以上の受付期間を設定し直さない場合（ステップＳ５６、Ｎｏ）、設定部２５は、高負荷動作中であることを示すエラー情報の常時表示をＯＮに設定し（ステップＳ５７）、ステップＳ５４の処理に進む。エラー情報は、例えば表示部２２の所定の位置に常に表示される。
【００８５】
図９は実施形態の変形例の省エネ抑止機能の初期設定方法の例を示すフローチャートである。図９の例は、例えばサービスマンの設定操作により、省エネ抑止機能が、ユーザに公開される場合の初期設定（デフォルト設定）方法を示す。なお図９の例では、省エネ抑止機能を有効にすることにより高速化する機能が、ＩＣカードと連携するＩＣカード機能である場合について具体的に説明する。
【００８６】
はじめに、設定部２５が、ＩＣカード機能がオフィス用途であるか否かを判定する（ステップＳ６１）。設定部２５は、例えばＩＣカード機能がオフィス用途であるか否かを、ＩＣカード機能の実行を要求しているアプリケーションの種別で判定する。つまり、設定部２５は、ＩＣカード機能の実行を要求しているアプリケーションがオフィス用途のアプリケーションであれば、ＩＣカード機能がオフィス用途であると判定する。逆に、設定部２５は、ＩＣカード機能の実行を要求しているアプリケーションがオフィス用途のアプリケーションではない場合は、ＩＣカード機能がオフィス用途ではないと判定する。
【００８７】
オフィス用途の場合（ステップＳ６１、Ｙｅｓ）、設定部２５は、オフィス用の初期設定を、画像処理システム１に設定する（ステップＳ６５）。オフィス用の初期設定は、例えば１以上の受付期間を、月曜日から金曜日までの９：００−１８：００に指定する設定を含む。
【００８８】
オフィス用途でない場合（ステップＳ６１、Ｎｏ）、設定部２５は、サービスマンが画像処理システム１の設定をする際に使用されるサービスマンメニューで、省エネ抑止機能が有効になっているか否かを判定する（ステップＳ６２）。
【００８９】
サービスマンメニューで省エネ抑止機能が有効になっている場合（ステップＳ６２、Ｙｅｓ）、設定部２５は、全曜日を同じにする初期設定を画像処理システム１に設定する（ステップＳ６４）。設定部２５は、例えば画像処理システム１のサービスマン（保守者）により、受付期間として、９：００−１２：００及び１３：００−１８：００が指定されていた場合、当該受付期間を含む初期設定を全曜日に適用する。
【００９０】
サービスマンメニューで省エネ抑止機能が有効になっていない場合（ステップＳ６２、Ｎｏ）、設定部２５は、ユーザの入力により受け付けられた初期設定を設定する（ステップＳ６３）。
【００９１】
なお、上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（ｄｉｇｉｔａｌ  Ｓｉｇｎａｌ  Ｐｒｏｃｅｓｓｏｒ）、ＦＰＧＡ（Ｆｉｅｌｄ  Ｐｒｏｇｒａｍｍａｂｌｅ  Ｇａｔｅ  Ａｒｒａｙ）や従来の回路モジュール等のデバイスを含むものとする。
【００９２】
また、上記で説明した実施形態の各機能は、プログラムにより実現してもよい。
【００９３】
実施形態の画像処理システム１で実行されるプログラムは、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記憶媒体に記憶されてコンピュータ・プログラム・プロダクトとして提供される。
【００９４】
また実施形態の画像処理システム１で実行されるプログラムを、インターネット等のネットワークに接続されたコンピュータ上に格納し、ネットワーク経由でダウンロードさせることにより提供するように構成してもよい。また実施形態の画像処理システム１が実行するプログラムを、ダウンロードさせずにインターネット等のネットワーク経由で提供するように構成してもよい。
【００９５】
また実施形態の画像処理システム１で実行されるプログラムを、ＲＯＭ等に予め組み込んで提供するように構成してもよい。
【符号の説明】
【００９６】
１  画像処理システム
１０  画像処理部
１１  記憶制御部
１２  記憶部
１３  通信制御部
１４  コピー制御部
１５  スキャナ制御部
１６  ファックス制御部
１７  プリンタ制御部
１８  状態制御部
２０  操作部
２１  読取部
２２  表示部
２３  表示制御部
２４  入力部
２５  設定部
２６  記憶制御部
２７  記憶部
２８  通信制御部
２９  認証部
３０  状態制御部 
１００  画像処理装置
１１１  ＣＰＵ
１１２  ＲＯＭ
１１３  ＲＡＭ
１１４  ＨＤＤ
１１５  通信Ｉ／Ｆ
１１６  接続Ｉ／Ｆ
１１７  エンジン
２００  操作デバイス
２１１  ＩＣカードリーダ
２２１  ＣＰＵ
２２２  ＲＯＭ
２２３  ＲＡＭ
２２４  フラッシュメモリ
２２５  通信Ｉ／Ｆ
２２６  接続Ｉ／Ｆ
２２７  操作パネル
２２８  外部接続Ｉ／Ｆ
３００  通信路
４００  ネットワーク
【先行技術文献】
【特許文献】
【００９７】
【特許文献１】特開２０１１−０６５６２８号公報
【図１】
2017196784.tif 000003
【図２】
2017196784.tif 000004
【図３】
2017196784.tif 000005
【図４】
2017196784.tif 000006
【図５】
2017196784.tif 000007
【図６】
2017196784.tif 000008
【図７】
2017196784.tif 000009
【図８】
2017196784.tif 000010
【図９】
2017196784.tif 000011